(57)【要約】【課題】浴槽内の湯温を正確に計ることができ、風呂蓋を開けなくても浴槽内の湯温を目で良好に判断できる浴槽装置を提供する。【解決手段】浴槽２内の湯が出入りできる浴槽の側壁２ｂに設けられた循環口３と、循環口３と追焚き可能な給湯器を繋ぐ往復の配管５ａ，５ｂで構成された浴槽装置において、循環口３またはその近傍に水温を検知する水温センサー７を設け、この水温センサー７で検出した水温を２色以上のＬＥＤを用いた発光信号に変換する制御部と、この制御部からの発光信号を色の変化で表現する表示部６を備え、この表示部６を、風呂蓋１２で覆われる範囲外の浴槽フランジ２ａに設けて構成する。【選択図】        図２
2004324989.tif 000002
【特許請求の範囲】
【請求項１】
浴槽内の湯が出入りできる浴槽の側壁に設けられた循環口と、追焚き可能な給湯器と、前記循環口と前記給湯器を繋ぐ往復配管で構成された浴槽装置において、前記循環口に水温を検知するセンサーを設け、該センサーで検出した水温を２色以上のＬＥＤを用いた発光信号に変換する制御部と、該制御部からの発光信号を色の変化で表現する表示部を備え、該表示部を、風呂蓋で覆われる範囲外の浴槽表面に設けたことを特徴とする浴槽装置。
【請求項２】
浴槽内の湯が出入りできる浴槽の側壁に設けられた循環口と、追焚き可能な給湯器と、前記循環口と前記給湯器を繋ぐ往復配管で構成された浴槽装置において、前記循環口から前記給湯器へ向かって湯が流れる戻り側の配管の前記循環口への接続個所に、水温を検知するセンサーを設け、該センサーで検出した水温を２色以上のＬＥＤを用いた発光信号に変換する制御部と、該制御部からの発光信号を色の変化で表現する表示部を備え、該表示部を、風呂蓋で覆われる範囲外の浴槽表面に設けたことを特徴とする浴槽装置。
【発明の詳細な説明】
【０００１】
【発明の属する技術分野】
この発明は、浴槽の蓋を開けなくても、浴槽内の水温を色の変化で確認できる浴槽装置に関するものである。
【０００２】
【従来の技術及び発明が解決しようとする課題】
従来、特許文献１に開示されているように、浴槽内の水温を、給湯器に設けた水温センサーを用いて検出し、浴室内に設けた立体物の色で水温を表示する構成のものが存在するが、この構成では、離れた位置にある給湯器で水温を測定する方法であるため、実際の浴槽の水温を正確に測定できず、実際の浴槽内の水温と異なる表示をしてしまう場合があるという問題点があった。また、水温を計るために常に浴槽水を循環させる必要があり、無駄が多いという問題点があった。
また、特許文献２に開示されているように、浴槽壁面に取り付けた水温センサーで検出した水温に基づいて、浴槽の水面の色を変化させて水温を表示する構成のものが存在するが、このような構成では、浴槽の水面を光らせて湯温を表示するものであるため、風呂蓋を取らないと、浴槽内の水面の色を確認することができないという問題点があった。
【０００３】
【特許文献１】
特許第２８５８８４０号公報
【特許文献２】
特開平８−８０２６８号公報
【０００４】
【課題を解決するための手段】
本発明は上記従来の問題点に鑑み案出したものであって、浴槽内の水温を正確に計ることができ、風呂蓋を開けなくても湯温を目で確認して判断することができる浴槽装置を提供せんことを目的とし、その第１の要旨は、浴槽内の湯が出入りできる浴槽の側壁に設けられた循環口と、追焚き可能な給湯器と、前記循環口と前記給湯器を繋ぐ往復配管で構成された浴槽装置において、前記循環口に水温を検知するセンサーを設け、該センサーで検出した水温を２色以上のＬＥＤを用いた発光信号に変換する制御部と、該制御部からの発光信号を色の変化で表現する表示部を備え、該表示部を、風呂蓋で覆われる範囲外の浴槽表面に設けたことである。
また、第２の要旨は、浴槽内の湯が出入りできる浴槽の側壁に設けられた循環口と、追焚き可能な給湯器と、前記循環口と前記給湯器を繋ぐ往復配管で構成された浴槽装置において、前記循環口から前記給湯器へ向かって湯が流れる戻り側の配管の前記循環口への接続個所に、水温を検知するセンサーを設け、該センサーで検出した水温を２色以上のＬＥＤを用いた発光信号に変換する制御部と、該制御部からの発光信号を色の変化で表現する表示部を備え、該表示部を、風呂蓋で覆われる範囲外の浴槽表面に設けたことである。
【０００５】
【発明の実施の形態】
以下、本発明の実施例を図面に基づいて説明する。
図１は、浴室の概略図であり、浴室１内には浴槽２が設置されており、この浴槽２の側壁には、浴槽２内の湯が出入りできる循環口３が設けられて、この循環口３と、屋外等に設けられた給湯器４が、往復の配管５で循環可能に接続されている。
【０００６】
本例では、この循環口３またはその近傍に水温センサー７が設けられており、この水温センサー７による検知信号がコード８を通して、浴室の天井裏に設けられた制御部９に入力されるように構成されている。
制御部９内では、水温センサー７からの検知水温に応じた発光信号に変換し、コード８を介して表示部６に信号を発することができ、表示部６は、発光信号を色の変化で表現することができるように構成されている。
また、制御部９は、浴室内の照明器１０に接続され、また、脱衣室等に設けられた浴室照明スイッチ１１にも接続されている。
【０００７】
図２は、浴槽の要部斜視図を示しており、浴槽２の側壁２ｂには循環口３が設けられ、この循環口３から浴槽２内の湯を吸い出して、戻り配管５ａを通して給湯器４に浴槽内の湯を送り、給湯器４内で追焚きして湯を温めることができ、温められた湯が往き配管５ｂを通り、循環口３から浴槽２内に循環されて追焚きできるように構成されている。
【０００８】
この循環口３またはその近傍に水温センサー７が設けられているため、浴槽２内の水温を直接正確に計ることができ、水温センサー７で検知された水温が制御部９に信号として送られるものである。
なお、表示部６は、風呂蓋１２で隠されることのない位置に設けられている。即ち、図２に示すように、浴槽２の上面に風呂蓋１２を覆設した場合に、風呂蓋１２で覆われる範囲外の浴槽フランジ２ａに、表示部６は取り付けられている。
【０００９】
表示部６は、図３の断面拡大図で示すような構造となっており、半透明の樹脂で形成された半透明樹脂体６０の上面が、浴槽フランジ２ａの上面に露出するように取り付けられ、この半透明樹脂体６０の上面には、高さを異にした三段の段部６０ａ，６０ａ，６０ａが形成されており、それぞれの段部６０ａ，６０ａに風呂蓋１２の下端を載せ、風呂蓋１２を浴室壁面に立てかけて収納できるように構成されている。
【００１０】
半透明樹脂体６０から下方へ向かって筒状の筒部６０ｂが一体形成されており、筒部６０ｂ内には複数のＬＥＤ６１が内装され、このＬＥＤ６１は、赤，緑，青の３色のＬＥＤで構成されている。
このＬＥＤ６１に電力を供給するためにコード８が接続されている。
この半透明樹脂体６０の筒部６０ｂの外周にはネジが形成されており、このネジに対し、浴槽フランジ２ａの下側から、スリップワッシャー６３を介在させて取付ナット６２を締め付けることで、半透明樹脂体６０を浴槽フランジ２ａに固定できるものである。なお、半透明樹脂体６０と浴槽フランジ２ａの上面間には、水密性を確保するためにパッキン６４が介在されている。
【００１１】
なお、図４の要部拡大図で示すように、循環口３に直接、水温センサー７を取り付ける場合の他に、中継管部材５２に水温センサー７を設ける構成とすることができる。
即ち、戻り配管５ａと往き配管５ｂは、それぞれエルボ５１，５１を介在させて循環口３に接続されているが、このエルボ５１と循環口３間に、別体の中継管部材５２を取り付けて、この中継管部材５２に水温センサー７を設けることができる。
【００１２】
なお、循環口３から給湯器４に向かって湯が流れる戻り配管５ａ側に中継管部材５２を取り付けて、ここに水温センサー７を取り付けておけば、浴槽２内の湯が循環口３から給湯器４に向かって流れる時に、水温センサー７で浴槽２内の湯の温度を確実に計ることができるものである。即ち、往き配管５ｂ側に水温センサー７を設けた場合は、給湯器４で沸かされた湯の温度が検出されるため、正確に浴槽２内の水温を計ることはできないものである。
【００１３】
なお、図５は、中継管部材５２に水温センサー７を取り付けた断面拡大構成図であり、中継管部材５２には、外方へ突出して外周にネジを形成したネジ筒部５２ａが一体形成されており、このネジ筒部５２ａ内にパッキン５３を介在させて、水密性を確保した状態で中継管部材５２内部に突出して水温センサー７が配置され、ネジ筒部５２ａには取付ナット５４が締め付けられて水温センサー７が固定されるものである。
【００１４】
このように中継管部材５２に水温センサー７を設けた構成では、循環口３と戻り配管５ａ側のエルボ５１との間に良好に中継管部材５２を取り付けることができ、後発的な取り付けも容易なものとなる。
このようにして、水温センサー７で浴槽２内の水温を正確に計ることができ、この検出した水温に対応した光の色で浴槽フランジ２ａの上面の半透明樹脂体６０を発光させて、浴槽２内の水温を表示することができるものである。
【００１５】
例えば、浴槽２内の水温が冷たい時には、青色のＬＥＤ６１を点灯させて、青い光を半透明樹脂体６０を通して発光させることができ、また、浴槽２内の水温が熱い場合には、赤色のＬＥＤ６１を点灯させて、赤い光を発光させることができ、また、最適な水温である場合には、赤色と緑色のそれぞれのＬＥＤ６１，６１を点灯させて、オレンジ色の光を発光させて水温を表示することができ、浴室１のドアを開けて良好に表示部６からの発光色を目で確認し、浴槽水の温度状態を良好に認識することができ、冷たい場合には、直ぐ追焚き操作を行なって追焚きをすることができ、従来のように、風呂蓋１２を開けて浴槽内の水温を確認する必要がない。
【００１６】
【発明の効果】
本発明の浴槽装置は、浴槽内の湯が出入りできる浴槽の側壁に設けられた循環口と、追焚き可能な給湯器と、循環口と給湯器を繋ぐ往復配管で構成された浴槽装置において、循環口に水温を検知するセンサーを設け、センサーで検出した水温を２色以上のＬＥＤを用いた発光信号に変換する制御部と、制御部からの発光信号を色の変化で表現する表示部を備え、表示部を、風呂蓋で覆われる範囲外の浴槽表面に設けたことにより、風呂蓋がしてある状態でも正確な湯温を確認することができ、浴室に入室直後に風呂蓋を開けなくても湯温の判断ができ、追焚き操作などを直ぐに行なうことができるものとなる。
【００１７】
また、浴槽内の湯が出入りできる浴槽の側壁に設けられた循環口と、追焚き可能な給湯器と、循環口と給湯器を繋ぐ往復配管で構成された浴槽装置において、循環口から給湯器へ向かって湯が流れる戻り側の配管の循環口への接続個所に、水温を検知するセンサーを設け、センサーで検出した水温を２色以上のＬＥＤを用いた発光信号に変換する制御部と、制御部からの発光信号を色の変化で表現する表示部を備え、表示部を、風呂蓋で覆われる範囲外の浴槽表面に設けたことにより、循環口と戻り側の配管との間に、別体の管部材を取り付けて良好にセンサーを設置することができ、浴槽内の湯温をこのセンサーで確実に計ることができて正確に湯温が測定でき、この湯温に対応した色の光を表示部から発して、風呂蓋を開けなくても容易に浴槽内の湯温を判断できる効果を有する。
【図面の簡単な説明】
【図１】浴室の概略構成図である。
【図２】浴槽に設けた循環口および表示部の斜視構成図である。
【図３】表示部の断面拡大構成図である。
【図４】循環口周辺の拡大配管構成図である。
【図５】中継管部材に水温センサーを取り付けた断面拡大構成図である。
【符号の説明】
１  浴室
２  浴槽
２ａ  浴槽フランジ
２ｂ  側壁
３  循環口
４  給湯器
５  往復配管
５ａ  戻り配管
５ｂ  往き配管
６  表示部
７  水温センサー
８  コード
９  制御部
５１  エルボ
５２  中継管部材
５３  パッキン
５４  取付ナット
６０  半透明樹脂体
６０ａ  風呂蓋載せ段部
６０ｂ  筒部
６１  ＬＥＤ
６２  取付ナット
６４  パッキン
【図１】
2004324989.tif 000003
【図２】
2004324989.tif 000004
【図３】
2004324989.tif 000005
【図４】
2004324989.tif 000006
【図５】
2004324989.tif 000007